(57)【要約】【課題】ペットと遊びながら抜け毛の処理を行うことができる多機能スリッパを提供する。【解決手段】多機能スリッパ１０は、足の裏を載せる底部１２と足の甲を覆う甲部１８を備えたスリッパ本体部１２と、底部１２の裏側に取り付けられた底部１２と略同型のモップ保持体と、モップ保持体の少なくとも外縁部に取り付けられたモップ２２と、甲部１８に動物の顔を模して立体的に形成された顔様装飾体と、モップ保持体の長手方向における前部および後部に動物の四肢を模して立体的に形成された四肢様装飾体３６と、スリッパ本体部１２に変位可能に取り付けられた猫じゃらし様装飾体３８を備えている。【選択図】図１
0003173224.tif 000002
【実用新案登録請求の範囲】
【請求項１】
足の裏を載せる底部と足の甲を覆う甲部を備えたスリッパ本体部と、前記底部の裏側に取り付けられた前記底部と略同型のモップ保持体と、前記モップ保持体の少なくとも外縁部に取り付けられたモップと、前記甲部に動物の顔を模して立体的に形成された顔様装飾体と、前記モップ保持体の長手方向における前部および後部に動物の四肢を模して立体的に形成された四肢様装飾体と、前記底部もしくは前記モップ保持体に変位可能に取り付けられた猫じゃらし様装飾体、を備えた多機能スリッパ。
【請求項２】
前記顔様装飾体と前記四肢様装飾体が使用者が飼育するペットの外観的特徴を模したものである請求項１に記載の多機能スリッパ。
【考案の詳細な説明】
【技術分野】
【０００１】
本考案は、複数の機能を併せ持つ多機能スリッパに関し、特に床面の清掃具とペット用の遊具という異種の機能を併せ持つ多機能スリッパに関する。
【背景技術】
【０００２】
従来、スリッパに対して、履物としての本来の機能に加え、別の機能を併せ持たせるようにする試みは数多くなされており、特に裏面に清掃用具を取り付けて、歩行しながら床面の清掃を同時に行うことができるように工夫されたスリッパの例は多い（特許文献１、２参照）。
【０００３】
また機能的な付加とは言い難いが、スリッパを含めた履物に動物のフィギュアや縫いぐるみなどを取り付けて、装飾的効果を高めたり、履くことの楽しさを高めたりしたものも多い（特許文献３乃至５参照）。
【先行技術文献】
【特許文献】
【０００４】
【特許文献１】特開平１０−３１４０９７号公報
【特許文献２】実用新案登録第３１３７３９２号公報
【特許文献３】実用新案登録第３０２８２１４号公報
【特許文献４】実用新案登録第３０４２９９９号公報
【特許文献５】実用新案登録第３１０２７２７号公報
【考案の概要】
【考案が解決しようとする課題】
【０００５】
ところで昨今のペットブームの中、屋内で飼育可能な猫や小型犬は特に働く女性の間で人気が高い。これらのペットは家族の一員もしくはその代替として大切に育てられており、飼い主もペットに積極的に関わることに喜びと癒しを求めている。しかし働く女性の常として仕事と家事に追われる毎日にペットと遊ぶ十分な時間を持てないことが彼女達の悩みの種になっている。
【０００６】
本考案は、従来の清掃機能を持たせたスリッパに、さらにペット用の遊具としての機能を併せ持たせることにより、ペットと遊ぶための十分な時間的余裕がない場合であってもペットとコミュニケーションをとることができる多機能スリッパを提供することを目的とする。
【課題を解決するための手段】
【０００７】
本考案の多機能スリッパは、足の裏を載せる底部と足の甲を覆う甲部を備えたスリッパ本体部と、前記底部の裏側に取り付けられた前記底部と略同型のモップ保持体と、前記モップ保持体の少なくとも外縁部に取り付けられたモップと、前記甲部に動物の顔を模して立体的に形成された顔様装飾体と、前記モップ保持体の長手方向における前部および後部に動物の四肢を模して立体的に形成された四肢様装飾体と、前記底部もしくは前記モップ保持体に変位可能に取り付けられた猫じゃらし様装飾体、を備えたことを特徴とする。
【０００８】
多機能スリッパは、モップの部分が抜け落ちたペットの毛やフローリング床などに堆積したチリやホコリを絡め取るだけでなく、猫じゃらし様装飾体が歩行の際に揺れ動くことでペットの歓心を買うことができる。従って、この多機能スリッパを履いて部屋の中を歩き回るだけでペットと遊びながら抜け毛の清掃を行うことができる。
【０００９】
また多機能スリッパは全体として動物の外観を模した形状をしており、使用する者に愉悦感や幸福感を与えてくれる。特に飼育しているペットの外観的特徴を模した形状とすることでペットとの一体感が増し、ペットと一緒になって遊ぶことができる。
【考案の効果】
【００１０】
本考案の多機能スリッパは、清掃機能とともにペット用の遊具という異種の機能を併せ持っているため、この多機能スリッパを履いて部屋の中を歩き回るだけでペットと遊びながら抜け毛を処理することができる。
【図面の簡単な説明】
【００１１】
【図１】本考案の実施の形態の多機能スリッパを斜め前方から見た外観図
【図２】本考案の実施の形態の多機能スリッパを分解した状態を示す外観図
【図３】本考案の実施の形態の多機能スリッパの使用例を示す図
【考案を実施するための形態】
【００１２】
本考案の実施の形態の多機能スリッパについて、添付した図面を参照して説明する。図１に示す多機能スリッパ１０は、スリッパ本体部１２とモップ部１４を主要な構成としている。スリッパ本体部１２は、足の裏全体を載せるための底部１６と、爪先から足首の前側あたりまでの足の甲全体を覆うための甲部１８を備えている。
【００１３】
モップ部１４は、図２に示すようにモップ保持体２０と、モップ保持体２０の外縁部に取り付けられたモップ２２を備えている。モップ保持体２０は、平面視した形状がスリッパ本体部１２の底部１６と略同型であり、略同一の面積を有している。モップ保持体２０にはその全面に面ファスナー２４が設けられており、これと対になる面ファスナー（図示せず）がスリッパ本体部１２の底部１６にも設けられている。これによりスリッパ本体部１２とモップ部１４は簡単に着脱することができるようになっており、モップ部１４を取り外して洗濯したり、新しいものと交換することができる。なおモップ保持体２０には人間の体重が加わるため、ナイロンやポリエステルのような耐久性、耐摩耗性の高い化学繊維がモップ保持体２０の素材として好適である。またモップ２２はモップ保持体２０の外縁部だけでなく裏面全体に設けてもよい。
【００１４】
スリッパ本体部１２の甲部１８には、猫の顔を模した立体的な顔様装飾体が施されてる。顔様装飾体は、耳部２６、目部２８、鼻部３０、口部３２、ヒゲ部（洞毛部）３４で構成されている。これらの各部が甲部１８にバランスよく配置されることで全体として猫の顔様の装飾体を形成している。耳部２６、目部２８、鼻部３０、口部３２、ヒゲ部（洞毛部）３４は市販のフェルトを所定の形状に裁断したものを用いることができる。目部２８は市販の動眼を用いることができる。動眼は、白目部分を形成する白円板の表面をドーム状の透明なカプセルで覆い、その内側に黒円板が固定されない状態で内包されたものである。カプセル内で揺れ動く黒円板がきょろきょろ動く黒目を髣髴とさせ、顔様装飾体に愛嬌ある表情を与える。
【００１５】
モップ保持体２０には、猫の四肢を模した立体的な四肢様装飾体３６が施されている。四肢様装飾体３６は、所定の形状に裁断したフェルトの周りにモップを取り付けたもので構成されており、多機能スリッパ１０の全体を猫の姿形に見立てたときに四肢が存在するであろう位置、すなわちモップ保持体の長手方向における前部および後部にそれぞれ左右対称に二本ずつ配置されている。
【００１６】
スリッパ本体部１２の底部１６の後端部、すなわち踵が位置する側の端部には、猫じゃらし様装飾体３８が紐４０によって取り付けられている。猫じゃらし様装飾体３８は市販の猫じゃらしやねずみ型のぬいぐるみなどを用いることができる。猫じゃらし様装飾体３８はスリッパ本体部１２に対して紐４０のみで取り付けられているため、床掃除の際に紐４０の一端を中心として大きく揺れ動くことになり、この動きによって、図３に示すように猫４２の興味を惹き、掃除をしながら猫４２と遊ぶことができる。
【符号の説明】
【００１７】
１０    多機能スリッパ
１２    スリッパ本体部
１４    モップ部
１６    底部
１８    甲部
２０    モップ保持体
２２    モップ
２４    面ファスナー
２６    耳部
２８    目部
３０    鼻部
３２    口部
３４    洞毛部
３６    四肢様装飾体
３８    猫じゃらし様装飾体
４２    猫
【図１】
0003173224.tif 000003
【図２】
0003173224.tif 000004
【図３】
0003173224.tif 000005